(57)【特許請求の範囲】
【請求項１】
被洗浄物を収納する食器かごと、これらを内装する洗浄槽と、洗浄水を噴射する噴射口を有する洗浄ノズルと、電動機により駆動され洗浄水を加圧する洗浄ポンプと、洗浄水を加熱するヒータと、前記洗浄ポンプとヒータへの通電を制御する制御装置を備え、前記制御装置は、洗浄ポンプの加圧能力とヒータの加熱能力を連動させるとともに、前記洗浄ポンプの加圧能力を減少させて、前記ヒータの加熱能力を増大させることにより、機器全体の負荷を一定値以下に制御するようにした食器洗浄機。
【請求項２】
洗浄ポンプの遠心羽根車の回転数を切換える回転数切換手段を設け、制御装置は、前記回転数切換手段により洗浄ポンプの加圧能力を減少させるようにした請求項１記載の食器洗浄機。
【請求項３】
制御装置は、洗浄工程で洗浄ポンプの通電を間欠的に停止して、ヒータの加熱能力を増大させるようにした請求項１記載の食器洗浄機。
【請求項４】
洗浄ポンプまたは洗浄ポンプの電動機にはずみ車を設けた請求項１〜３のいずれか１項に記載の食器洗浄機。
【請求項５】
洗浄ポンプの遠心羽根車の外周部に錘を配設した請求項２記載の食器洗浄機。
【請求項６】
はずみ車は、電動機に送風して電動機を冷却する羽根を設けた請求項４記載の食器洗浄機。
【発明の詳細な説明】
【０００１】
【発明の属する技術分野】
本発明は、洗浄水や空気を加熱するヒータを備えた食器洗浄機に関するものである。
【０００２】
【従来の技術】
従来の食器洗浄機について、図７および図８に基づいて説明する。食器の洗浄を行う場合には、被洗浄物である食器を洗浄槽３１の食器かご３２に収納し、洗剤を投入して運転を開始する。運転が開始されると、まず洗浄ポンプ３３による洗浄水を加圧する動作が安定するように、所定量の洗浄水を洗浄槽３１に供給する給水工程が実行される。洗浄ポンプ３３は遠心羽根車３４と、これを駆動する電動機３５を有している。続いて、洗浄ポンプ３３によって加圧され且つヒータ３６によって加熱された洗浄水が洗剤と共に洗浄ノズル３７の噴射口から噴射される本洗工程が行われる。洗浄水は洗浄ノズル３７の噴射口から鉛直方向または斜め上方向に噴射される。また洗浄ノズル３７はこの噴射反力によって略水平に回転する。このように回転する洗浄ノズル３７から噴射された洗浄水の衝突力・洗剤・熱等の作用によって、食器は洗浄されるものである。
【０００３】
洗浄ノズル３７は略管状の入口部を有していて、これを内装してその回転を支持する略管状のノズル軸受３８が設けられている。洗浄工程で洗浄ポンプ３３が運転されると、洗浄ノズル３７は洗浄水圧と重量のバラスンがとれて、入口部の端面はノズル軸受３８の内部で回転するとともに、洗浄水の水漏れを抑制した摺動部を形成する。そこで、摺動部には、摩擦抵抗の小さい素材のスペーサが装着されていて、洗浄ノズル３７の回転を滑らかなものとしている。
【０００４】
洗浄水が所定の温度に高まるとともに、所定時間の本洗工程を経過すると、次に食器等から洗い落とされた汚れを含む洗浄水を排水ポンプ（図示せず）によって機外に排出する排水工程に入る。引き続いて、新たに洗浄水を供給する給水工程と、洗浄や残菜（食器に付着した汚れを残菜ともいう）で汚れた食器をすすぐために洗浄水を洗浄ノズル３７から噴射するすすぎ工程と、前記排水工程とが連続して４回繰り返されて、洗浄工程を終了する。特に、次工程の乾燥工程を短時間で行うために、最終のすすぎ工程は、ヒータ３６によって洗浄水を加熱しながら行う加熱すすぎ工程となっている。
【０００５】
図８に、以上の洗浄工程における機器全体の負荷状態を電流値で示す。横軸ｔは運転時間を、縦軸Ａは機器の電流値であり、単位はそれぞれ分（ｍｉｎ）とアンペア（Ａ）である。なお、これらの単位は以下ではほとんど省略する。洗浄ポンプ３３の電流値はＡ（Ｐ０）、ヒータ３６の電流値はＡ（Ｈ０）であり、その合計は機器の設置される電源コンセントの容量Ａ（ｍａｘ）以下である。
【０００６】
続いて、送風機（図示せず）により機外から空気を送り込み、同時にヒータ３６を断続的に運転して温風とし、この温風で食器に付着した水滴を蒸発させる乾燥工程が行われる。この乾燥工程で洗浄槽３１内の多湿な空気は排気口３９より機外に排出される。なお４０は、洗浄ポンプ３３・ヒータ３６等の運転を制御する制御装置である。また、制御装置４０の負荷は従来から一般に数ワット以下でわずかなものであるから、省略して説明する。
【０００７】
【発明が解決しようとする課題】
上述の従来構成の食器洗浄機は、洗浄ポンプとヒータの構成に関して、次記する課題を有している。
【０００８】
洗浄工程において、本洗工程や加熱すすぎ工程で洗浄ポンプ３３とヒータ３６を同時に運転する時に、機器が設置された電源コンセントの電流容量以下となるように、それぞれの負荷を合計して、通常食器洗浄機は１５Ａ以下となるように製造されている。また、洗浄ポンプ３３を駆動する電動機３５は起動時に大電流が流れることを考慮して、ヒータ３６の電流値Ａ（Ｈ０）は１０〜１１Ａ以下のことが多い。すなわち、１００Ｖ電源でヒータ３６の加熱能力は１０００Ｗ〜１１００Ｗとなる。したがって、洗浄工程で所定量の洗浄水および食器を所定の温度まで加熱するために、長時間が必要であった。これを短縮するためには、少ない電流でも大容量のヒータで運転できる機器として、２００Ｖに対応した機器および電源に変更する必要があった。
【０００９】
なお、発明者はすでに運転時間の短縮や省エネを実現する手段として、特開平６−１２１７６０号公報にて洗浄水量を少なくして洗浄ポンプの吐出能力を低減した運転方法の食器洗浄機を提案している。しかしながら、この場合、給水量を少なくするための調整手段を有する給水装置が必要であった。
【００１０】
本発明は、以上のような従来の食器洗浄機が有している課題を解決するものである。特に、短時間で所定の洗浄性能が得られる食器洗浄機を提供することを目的としているものである。
【００１１】
【課題を解決するための手段】
本発明の食器洗浄機は、被洗浄物を収納する食器かごと、これらを内装する洗浄槽と、洗浄水を噴射する噴射口を有する洗浄ノズルと、電動機により駆動され洗浄水を加圧する洗浄ポンプと、洗浄水を加熱するヒータと、前記洗浄ポンプとヒータへの通電を制御する制御装置を備え、前記制御装置は、洗浄ポンプの加圧能力とヒータの加熱能力を連動させるとともに、前記洗浄ポンプの加圧能力を減少させて、前記ヒータの加熱能力を増大させることにより、機器全体の負荷を一定値以下に制御するようにしたものである。
【００１２】
この発明によれば、制御装置は洗浄工程にて、特に加熱すすぎ工程で、洗浄ポンプの加圧能力を減少することで、その通電量を削減する。これに連動してヒータへの通電量を増大することで、ヒータの加熱能力を高めて、洗浄水および食器を短時間で所定の温度に加熱できて、所定の洗浄性能および乾燥性能が得られる食器洗浄機を提供できる。
【００１３】
【発明の実施の形態】
本発明の請求項１に記載の発明は、被洗浄物を収納する食器かごと、これらを内装する洗浄槽と、洗浄水を噴射する噴射口を有する洗浄ノズルと、電動機により駆動され洗浄水を加圧する洗浄ポンプと、洗浄水を加熱するヒータと、前記洗浄ポンプとヒータへの通電を制御する制御装置を備え、前記制御装置は、洗浄ポンプの加圧能力とヒータの加熱能力を連動させるとともに、前記洗浄ポンプの加圧能力を減少させて、前記ヒータの加熱能力を増大させることにより、機器全体の負荷を一定値以下に制御するようにしたことにより、制御装置は洗浄工程にて、特に加熱すすぎ工程で、洗浄ポンプへの通電量を削減して、ヒータへの通電量を増大することで、洗浄水および食器を短時間で所定の温度まで加熱できて、所定の洗浄性能および乾燥性能が得られる。
【００１４】
また、請求項２に記載の発明は、洗浄ポンプの遠心羽根車の回転数を切換える回転数切換手段を設け、制御装置は、前記回転数切換手段により洗浄ポンプの加圧能力を減少させるようにしたことにより、遠心羽根車の回転数を低速にすることで、その負荷トルクを低減して、洗浄ポンプへの通電量を削減できる。これに連動してヒータの通電量を増大することで、ヒータによる加熱能力を高めて、短時間で洗浄水を所定の温度に上昇させる。しかも、洗浄ポンプの加圧能力の減少に連動して、循環水量が減少するので、洗浄槽に給水する洗浄水量をも各工程で削減することが可能であり、この場合にはより短時間で所定の温度まで加熱できるので、より短い運転時間と消費電力量で所定の洗浄性能を得ることができる。
【００１５】
また、請求項３に記載の発明は、制御装置は、洗浄工程で洗浄ポンプの通電を間欠的に停止して、ヒータの加熱能力を増大させるようにしたことにより、遠心羽根車は回転数が低下して、洗浄ポンプの加圧能力を減少することができる。そこで、この所定の時間だけ、よりヒータへの通電量を増大できるものである。ヒータの加熱能力を電源コンセントの容量まで拡大することが可能であり、さらに短時間で洗浄水を加熱して所定の洗浄性能を得ることができる。
【００１６】
また、請求項４に記載の発明は、洗浄ポンプまたは洗浄ポンプの電動機にはずみ車を設けたことにより、特に、所定の時間だけ洗浄ポンプの通電を停止したときに、遠心羽根車の回転数は、はずみ車の慣性で維持されるかあるいは若干低下して、洗浄ポンプの加圧能力を減少することができる。なお、はずみ車は大きい慣性モーメントを持つように外周部分を重くした車であって、フライホイールとも呼ばれる。したがって、この通電を停止した所定の時間だけ、よりヒータへの通電量を増大できるものであり、さらに短時間で洗浄水を加熱して所定の洗浄性能を得ることができる。しかも洗浄ポンプの加圧能力および洗浄ノズルの噴射はほぼ維持されるので、高い洗浄力が得られる。
【００１７】
また、請求項５に記載の発明は、遠心羽根車の外周部に錘を配設したことにより、遠心羽根車自体に、はずみ車の効果を設けたこととなり、短時間で高い洗浄力を得ることに加えて、新たな部品を必要とせずに洗浄ポンプを小型で、簡単な構成とすることができる。
【００１８】
また、請求項６に記載の発明は、はずみ車は、電動機に送風して電動機を冷却する羽根を設けたことにより、短時間で高い洗浄力を得ることに加えて、新たな冷却ファンを必要とせずに、洗浄ポンプの大きさを小型にして、簡単な構成とすることができる。
【００１９】
【実施例】
以下、本発明の具体的な構成についての実施例について、図面を参照しつつ説明する。
【００２０】
（実施例１）
図１において、１は洗浄槽、２は食器、調理道具等の被洗浄物を収納する食器かご、３は洗浄水を加圧する洗浄ポンプ、４は洗浄ポンプ３の遠心羽根車、５はこの洗浄ポンプ３の遠心羽根車４を駆動して洗浄ポンプの一部を構成している電動機である。６は洗浄水を加熱するヒータ、７は洗浄水を噴射する噴射口を有する洗浄ノズルであり、８は洗浄ノズル７に洗浄水を取入れるための略管状の入口部を内装して、その回転を支持するノズル軸受である。９は洗浄槽１の空気を排出するための排気口、１０は洗浄ポンプ３やヒータ６等への通電を制御する制御装置である。
【００２１】
次に本実施例の食器洗浄機としての動作を説明する。洗浄工程における運転は、基本的に従来のものと同様であるので説明を省略する。本実施例における特徴的な動作は、洗浄工程の各工程、本洗工程やすすぎ工程において行われる制御装置１０による洗浄ポンプ３とヒータ６の通電の制御にある。
【００２２】
図２に示すように、加熱すすぎ工程では、本洗工程に比べて洗浄ポンプ３への通電を電流値でＡ（Ｐ１）まで小さくして、ヒータ６への通電をＡ（Ｈ１）まで増大するものである。ただし、合計の電流値は本洗工程とほぼ同一であり、機器の接続可能な電源容量であるＡ（ｍａｘ）以下には制御される。また、Ａ（Ｐ１）での加圧能力は、本洗工程やその後のすすぎ工程よりは低い。しかしながら、本洗工程を経過した被洗浄物に対しては、充分にすすぎ効果を発揮する。
【００２３】
このようにヒータ６の加熱能力を増大することで、給水流を一定のままとして、加熱すすぎ工程において洗浄水を所定の温度まで上昇させるための加熱時間を短縮することができる。したがって、所定のすすぎ性能を得るための運転時間ｔ（Ｒ１）は、従来に比べて短時間になっている。すなわち、洗浄工程の運転時間を短縮するとともに、所定の洗浄性能や乾燥性能が得られるものである。
【００２４】
なお、汚れの種類や量によっては、洗浄水を入れ換えて行うすすぎ工程の各工程においても、洗浄ポンプ３の通電を削減して加圧能力を低減しても、必要なすすぎ効果が得られるものである。この時に、ヒータ６の通電をＡ（Ｈ１）に増大して行うことで、すすぎ工程において、入れ換えた常温の洗浄水で食器の温度が本洗工程の時点から徐々に低下することを抑制できる。加熱すすぎの開始時点での食器の温度を通常より高めることができるものである。このように制御装置１０がすすぎ工程で洗浄ポンプ３とヒータ６を制御すれば、上述の加熱すすぎの運転時間ｔ（Ｒ１）をさらに短縮できるものである。
【００２５】
なお、乾燥工程は送風機（図示せず）により、洗浄槽１内に機外より空気を送り込み、ヒータ６を断続的に運転して温風とし、この温風で食器に付着した水滴を蒸発させるものであって、洗浄槽１内の多湿な空気は排気口９より機外に排出される。そこで、制御装置１０が、図２の運転方法とは異なるが、従来と同じ図８に示す運転時間ｔ（Ｒ０）の加熱すすぎを行うものとすると、食器および付着した水滴の温度が、従来の構成の食器洗浄機より高くできる。そのために乾燥速度が向上して、乾燥性能の向上や乾燥時間の短縮が図れるものである。このようにして、乾燥までを含めて全体の運転時間を短縮できるものである。
【００２６】
（実施例２）
本実施例は、基本構成が実施例１と同様であり、洗浄工程での運転が異なるものであるから、この点について説明する。
【００２７】
洗浄工程のうち、図３に示すように本洗工程と加熱すすぎ工程では洗浄水や食器の温度を高めるために、洗浄ポンプ３とヒータ６を同時に通電して、本洗工程はｔ（Ｗ２）にて、加熱すすぎ工程はｔ（Ｒ２）にて、行われるものである。このとき制御装置１０が、洗浄ポンプ３の遠心羽根車４の回転数を間欠的に低下させて、洗浄ポンプ３の加圧能力を減少させる。すなわち通電を間欠的にＡ（Ｐ０）からＡ（Ｐ２）に変化させて、この削減した電流値だけ、ヒータ６への通電を拡大する運転を行うものである。
【００２８】
このようにして、洗浄ポンプ３への通電をＡ（Ｐ２）まで小さくして、ヒータ６への通電をＡ（Ｈ２）まで増大するものであるが、機器全体の通電量がＡ（ｍａｘ）以下であることは、実施例１と同様である。すなわち、請求項１記載の発明に加えて、このような制御手段を実施することで、ヒータ３の通電を増大する時間が増加して、さらに洗浄水の加熱が短時間で行えるものである。
【００２９】
また、本実施例のような一般的な遠心ポンプである洗浄ポンプ３において、遠心羽根車４の回転数を低下させると、洗浄ポンプ３の加圧能力が減少して、洗浄ノズル７の噴射圧と流量が低下する。しかしながら、本実施例のように、間欠的に通常の回転数を与えて、洗浄ポンプ３の加圧能力を与えることで、すなわち洗浄ノズル７の噴射と温度と洗剤による洗浄力を間欠的に増大して、本洗工程で必要な洗浄性能を得ることができるものである。
【００３０】
なお、洗浄ポンプ３の一部を構成している電動機５の回転数を切換える手段としては、本実施例のような２極の誘導電動機の場合でも、数々の手段が存在する。すなわち、本実施例で電動機５の通電を低減する手段としては、電動機５のコイルの中間タップを設けて（一般的な技術のため、図示せず）、電動機５の出力すなわち回転トルクを低減した状態で運転することで、電動機５の負荷である遠心羽根車４の回転数が低速に切換わるものである。
【００３１】
また、電動機５の回転制御手段としては、位相制御やインバータ制御もよく行われる。
【００３２】
なお、電動機５がＤＣブラシレスモータであれば、さらに広範囲に回転数を制御できる。
【００３３】
なお、電動機５すなわち遠心羽根車４の回転方向を逆転することで、洗浄ポンプ３の加圧能力を変化させることも可能な手段である。一般的な洗浄ポンプ３は遠心ポンプの形式であり、遠心羽根車４の回転方向に関わらず洗浄水を加圧して吐出するものである。ただし、回転方向によって、洗浄水の加圧能力が変わる。遠心羽根車４を逆転して、渦巻き室に整合していないと低下するものである。そして、遠心羽根車４の加圧能力が高いと、電動機５の入力および電流値は高くて、加圧能力が低いと、電動機５の入力および電流値は低くなる。そこで、ヒータ６の通電量を高めることができて、本洗工程や加熱すすぎ工程で、洗浄水を短時間で所定の温度まで加熱できて、運転時間が短縮されることも、実施例１と同様である。
【００３４】
なお、このように洗浄ポンプ３の加圧能力の変化は、一般に電動機の回転数や通電量とほぼ比例関係にあって、この加圧能力を低減して、ヒータ６への通電を増大する構成であればよい。
【００３５】
（実施例３）
本実施例は、基本構成が実施例１と同様であり、構成要素は図１とほぼ同じであるから、共用するとともに、説明を省略する。洗浄工程での運転が異なるものであるから、この点について説明する。
【００３６】
図４に示すように、制御装置１０は洗浄ポンプ３すなわち電動機５の通電を間欠的に停止する。また、これに連動してヒータ６の通電量を拡大するものである。これによって、洗浄ポンプ３の加圧能力を間欠的に減少させるとともに、ヒータ６の加熱能力を通電量でＡ（Ｈ０）からＡ（Ｈ３）に高めるものである。
【００３７】
すなわち、この洗浄ポンプ３に通電を停止した時間は、機器が設置される場所の電源容量のほとんど全てを、ヒータ６への通電量としてＡ（Ｈ３）に使用できるものであり、所定の給水量の洗浄水を短時間で加熱して、必要な洗浄性能を得ることができる。
【００３８】
なお、洗浄ポンプ３の運転が間欠的であることから、連続運転に比べて洗浄水の循環流量は平均値として小さい。そこで間欠の周期の設定によって、少ない給水量の洗浄水でも、洗浄ポンプ３に空気を巻き込まずに安定して洗浄水を吐出できる。したがって、各工程の給水量を少なくして、さらに短時間で洗浄水を所定の温度に高めて、洗浄できるものである。すなわち、給水量の削減とヒータ６の通電時間の短縮に基づいて、節水と節電が図れるものである。
【００３９】
（実施例４）
本実施例は、基本構成は実施例１と同様であるが、構成要素の一部および運転が異なるものであるから、この点について説明する。
【００４０】
図５において、１１は電動機５の一端に設けたはずみ車である。ここで、はずみ車１１は大きい慣性モーメントを持つように外周を重くした円盤状のものであって、フライホイールとも呼ばれるものである。はずみ車１１は外周部に金属材料や比重の大きい材料による略環状の錘１１ａを設けて、空気を加圧する遠心羽根１１ｂを有している。
【００４１】
洗浄工程で電動機５の通電を間欠的に停止したときに、電動機５はその直後に停止せずに、図６に示すように遠心羽根車４の回転数Ｎは、はずみ車１１の慣性で徐々に低下する。そして、洗浄ポンプ３の加圧能力を減少するものである。
【００４２】
したがって、このようにして電動機５への通電を停止した時間だけ、よりヒータ６への通電量を増大できるものであると同時に、洗浄ポンプ３の加圧能力が徐々に低下するので、洗浄ノズル７の噴射による洗浄力が急激には低下しない。すなわち、短時間で洗浄水を加熱することができることに加えて、洗浄ポンプ３の加圧能力を持続するので、高い洗浄力が維持できるものである。
【００４３】
また特に、従来の洗浄ポンプでは一般に回転軸のシール手段として、低摩擦で耐久性あるメカニカルシールやオイルシールが使用されているが、シール性能を確実にするために所定の押付け力が作用して軸動力の損失を生じている。すなわち、電動機５自体が小形でローター（回転子）の慣性の小さいものであるほど、通電を停止した直後に回転が止まるものであった。
【００４４】
また、はずみ車１１の慣性が大きいと、電動機５の通電を停止しても、遠心羽根車４が次に通電するまで回転を維持されて、洗浄ノズル７の噴射洗浄力が持続する。しかも、ヒータ６の加熱能力が拡大するので、洗浄水の温度上昇が短時間で行われるために、噴射・熱・洗剤による洗浄力の更なる向上が可能なものである。
【００４５】
なお、洗浄ポンプ３の遠心羽根車４の外周部に略環状の錘４ａを配設して、上記と同様の効果を得ることができる。このようにして遠心羽根車４自体に、はずみ車の効果を設けることで、洗浄ポンプ３をより小型で、簡単な構成とすることができる。たとえば、遠心羽根車４を樹脂材料で構成して、金属材料の錘４ａをインサートした一体成形品としたり、全体を金属材料で形成して、外周部を厚肉に構成することが可能である。なお、本実施例では、はずみ車１１の略環状の錘１１ａと遠心羽根車４の略環状の錘４ａが、両者共に設けてあるので、遠心羽根車４の回転の維持に優れているものである。また、錘の形状は１個の略環状のものに限らず、外周部近傍に複数個の形態で配置されていてもよいものである。
【００４６】
なお、はずみ車１１は電動機５に送風して冷却する遠心羽根１１ｂを設けて、はずみ車１１自体に電動機５を冷却する送風効果を設けたので、電動機５を冷却するための専用のファンが不要であり、洗浄ポンプ３を小型で、簡単な構成とすることができる。
【００４７】
【発明の効果】
本発明は、以上のように構成されているので、以下に記載されるような効果を有する。請求項１記載の発明によれば、被洗浄物を収納する食器かごと、これらを内装する洗浄槽と、洗浄水を噴射する噴射口を有する洗浄ノズルと、電動機により駆動され洗浄水を加圧する洗浄ポンプと、洗浄水を加熱するヒータと、前記洗浄ポンプとヒータへの通電を制御する制御装置を備え、前記制御装置は、洗浄ポンプの加圧能力とヒータの加熱能力を連動させるとともに、前記洗浄ポンプの加圧能力を減少させて、前記ヒータの加熱能力を増大させることにより、機器全体の負荷を一定値以下に制御するようにしたから、短時間で洗浄水および食器を加熱することができ、所定の洗浄性能を得ることができる。
【００４８】
請求項２記載の発明によれば、洗浄ポンプの遠心羽根車の回転数を切換える回転数切換手段を設け、制御装置は、前記回転数切換手段により洗浄ポンプの加圧能力を減少させるようにしたから、洗浄ポンプの電動機への通電量が削減できるので、これに連動してヒータの通電量を増大することで、短時間で洗浄水を加熱できる。しかも、洗浄ポンプの加圧能力の減少に連動して、洗浄水量をも削減可能であり、より短時間で所定の温度まで加熱できるので、より少ない時間と消費電力量で所定の洗浄性能が得られる食器洗浄機とすることができる。
【００４９】
請求項３記載の発明によれば、制御装置は、洗浄工程で洗浄ポンプの通電を間欠的に停止して、ヒータの加熱能力を増大させるようにしたから、よりヒータへの通電量を増大できるものであり、さらに短時間で洗浄水を加熱して所定の洗浄性能が得られる食器洗浄機とすることができる。
【００５０】
請求項４記載の発明によれば、洗浄ポンプまたは洗浄ポンプの電動機にはずみ車を設けたから、所定の時間だけ洗浄ポンプの通電を停止したときに、遠心羽根車の回転数は、はずみ車の慣性で維持されるかあるいは若干低下して、洗浄ポンプの加圧能力を減少するものである。なお、はずみ車は大きい慣性モーメントを持つように外周を重くした車であって、フライホイールとも呼ばれる。したがって、この所定時間だけ、よりヒータへの通電量を増大できるものであり、さらに短時間で洗浄水を加熱して所定の洗浄性能を得ることができることに加えて、高い洗浄力を得ることができる。
【００５１】
請求項５記載の発明によれば、洗浄ポンプの遠心羽根車の外周部に錘を配設したから、遠心羽根車自体に、はずみ車の効果を設けることができ、洗浄ポンプが小型で、簡単な構成にすることができる。
【００５２】
請求項６記載の発明によれば、はずみ車に電動機に送風して電動機を冷却する羽根を設けたから、電動機を冷却するためのファンが不要であり、洗浄ポンプを小型で、簡単な構成とすることができるものである。
【図面の簡単な説明】
【図１】  本発明の実施例１における食器洗浄機の要部断面図
【図２】  同食器洗浄機の洗浄工程における洗浄ポンプとヒータの運転を示すタイムチャート
【図３】  本発明の実施例２における食器洗浄機の洗浄ポンプとヒータの運転を示すタイムチャート
【図４】  本発明の実施例３における食器洗浄機の洗浄ポンプとヒータの運転を示すタイムチャート
【図５】  本発明の実施例４における食器洗浄機の要部断面図
【図６】  同食器洗浄機の洗浄ポンプの通電と回転数を示すタイムチャート
【図７】  従来例の食器洗浄機の要部断面図
【図８】  同食器洗浄機の洗浄工程の洗浄ポンプとヒータの運転を示すタイムチャート
【符号の説明】
１  洗浄槽
３  洗浄ポンプ
４  遠心羽根車
４ａ  錘
５  電動機
６  ヒータ
７  洗浄ノズル
８  ノズル軸受
１０  制御装置
１１  はずみ車
１１ａ  錘
１１ｂ  遠心羽根
【図１】
0003651235.tif 000002
【図２】
0003651235.tif 000003
【図３】
0003651235.tif 000004
【図４】
0003651235.tif 000005
【図５】
0003651235.tif 000006
【図６】
0003651235.tif 000007
【図７】
0003651235.tif 000008
【図８】
0003651235.tif 000009